(57)【要約】【課題】より多くの種類の記録媒体を反転可能にする。【解決手段】画像形成装置３００は、シートが両面パス６０６を通過不可能なシートか否か判別し、シートが両面パス６０６を通過不可能なシートと判別された場合には、両面パス６０６とは別の反転パス６０５をシートが通過するようにシートを制御する。【選択図】図６
2015182850.tif 000002
【特許請求の範囲】
【請求項１】
印刷された記録媒体における印刷面を反転するために、前記記録媒体を反転するための複数の反転用経路を備えた画像形成装置であって、
前記記録媒体の反転が必要か否か判別する反転判別手段と、
前記反転判別手段により、前記記録媒体の反転が必要と判別された場合に、前記記録媒体が予め定められた反転用経路を通過可能な記録媒体か否か判別する通過判別手段と、
前記通過判別手段により、前記記録媒体が前記予め定められた反転用経路を通過可能な記録媒体と判別された場合には、前記記録媒体が前記予め定められた反転用経路を通過するように前記記録媒体を制御し、前記記録媒体が前記予め定められた反転用経路を通過不可能な記録媒体と判別された場合には、前記予め定められた反転用経路とは別の前記反転用経路を前記記録媒体が通過するように前記記録媒体を制御する制御手段とを有することを特徴とする画像形成装置。
【請求項２】
前記記録媒体が通過可能な前記反転用経路が存在しない場合には、前記記録媒体を反転できないことを示す画面を表示部に表示することを特徴とする請求項１記載の画像形成装置。
【請求項３】
前記予め定められた反転用経路は、他の前記反転用経路と比較して、経路内で予め定められた曲率以上となる区間の長さが長い経路を持つ反転用経路であることを特徴とする請求項１または請求項２記載の画像形成装置。
【請求項４】
印刷された記録媒体における印刷面を反転するために、前記記録媒体を反転するための複数の反転用経路を備えた画像形成装置の制御方法であって、
前記記録媒体の反転が必要か否か判別する反転判別ステップと、
前記反転判別ステップにより、前記記録媒体の反転が必要と判別された場合に、前記記録媒体が予め定められた反転用経路を通過可能な記録媒体か否か判別する通過判別ステップと、
前記通過判別ステップにより、前記記録媒体が前記予め定められた反転用経路を通過可能な記録媒体と判別された場合には、前記記録媒体が前記予め定められた反転用経路を通過するように前記記録媒体を制御し、前記記録媒体が前記予め定められた反転用経路を通過不可能な記録媒体と判別された場合には、前記予め定められた反転用経路とは別の前記反転用経路を前記記録媒体が通過するように前記記録媒体を制御する制御ステップとを有することを特徴とする制御方法。
【請求項５】
印刷された記録媒体における印刷面を反転するために、前記記録媒体を反転するための複数の反転用経路を備えた画像形成装置の制御方法をコンピュータに実行させるためのプログラムであって、
前記制御方法は、
前記記録媒体の反転が必要か否か判別する反転判別ステップと、
前記反転判別ステップにより、前記記録媒体の反転が必要と判別された場合に、前記記録媒体が予め定められた反転用経路を通過可能な記録媒体か否か判別する通過判別ステップと、
前記通過判別ステップにより、前記記録媒体が前記予め定められた反転用経路を通過可能な記録媒体と判別された場合には、前記記録媒体が前記予め定められた反転用経路を通過するように前記記録媒体を制御し、前記記録媒体が前記予め定められた反転用経路を通過不可能な記録媒体と判別された場合には、前記予め定められた反転用経路とは別の前記反転用経路を前記記録媒体が通過するように前記記録媒体を制御する制御ステップとを有することを特徴とするプログラム。
【発明の詳細な説明】
【技術分野】
【０００１】
本発明は、画像形成装置及びその制御方法、並びにプログラムに関する。
【背景技術】
【０００２】
中折りを行う際に、後処理装置の形状を考慮して印刷画像の順番を変更し、後処理装置の形状の違いをユーザに意識させない技術がある（例えば、特許文献１参照）。
【０００３】
例えば、先に排紙された記録媒体（以下、「シート」という）が製本時に内側に来る機構の後処理装置と、それとは逆に先に排紙されたシートが製本時に外側に来る機構の後処理装置がある。
【０００４】
例えば、片面印刷時の印刷面が上向きに排紙されるフェイスアップの印刷機構の場合、スイッチバック無しのサドルフィニッシャでは、中折り後に印刷面が外側にくる。
【０００５】
一方、スイッチバック有りのサドルフィニッシャでは、中折り後に印刷面が内側にくる。
【０００６】
このことを具体的に図７を用いて説明する。図７において、シート１０１に示される三角形は、表紙の印刷面の向きを示している。
【０００７】
図７（Ａ）は、スイッチバック無しのサドルフィニッシャを用いた中折り印刷を説明するための図である。
【０００８】
片面に印刷されたシート１０１がフェイスアップで排紙され、「印刷結果（サドル排紙、中折り前）」に示されるように積載される。そして、「印刷結果（サドル排紙、中折り後）」に示されるように、中折りされて、印刷面はシートの外側（図では右側）になる。
【０００９】
一方、スイッチバック有りのサドルフィニッシャでは、中折り後に印刷面が内側にくる。図７（Ｂ）は、スイッチバック有りのサドルフィニッシャを用いた中折り印刷を説明するための図である。
【００１０】
図７（Ｂ）において、片面に印刷されたシート２０１がフェイスアップで排紙され、水平方向に運ばれた後、スイッチバックして「印刷結果（サドル排紙、中折り前）」に示されるように積載される。
【００１１】
そして、「印刷結果（サドル排紙、中折り後）」に示されるように、中折りされて、印刷面はシートの内側（図では左側）になってしまう。従って、印刷面は表紙の表面とはならない。
【００１２】
このように印刷面がシートの内側となる場合、画像形成装置は、一般的に両面パスを通過させることにより印刷面の向きを反転して、印刷面を中折り時の外側の面とすることができる。
【先行技術文献】
【特許文献】
【００１３】
【特許文献１】特開２００５−１４２６０９号公報
【発明の概要】
【発明が解決しようとする課題】
【００１４】
しかしながら、表紙の紙種が両面パスを通過不可能な場合、印刷面の向きを反転することができない。
【００１５】
このように、従来技術では、表紙の記録媒体の種類が両面パスを通過不可能な記録媒体の種類の場合は、反転できないという問題があった。
【００１６】
本発明の目的は、より多くの種類の記録媒体を反転可能な画像形成装置及びその制御方法、並びにプログラムを提供することにある。
【課題を解決するための手段】
【００１７】
上記目的を達成するために、請求項１の画像形成装置は、印刷された記録媒体における印刷面を反転するために、前記記録媒体を反転するための複数の反転用経路を備えた画像形成装置であって、前記記録媒体の反転が必要か否か判別する反転判別手段と、前記反転判別手段により、前記記録媒体の反転が必要と判別された場合に、前記記録媒体が予め定められた反転用経路を通過可能な記録媒体か否か判別する通過判別手段と、前記通過判別手段により、前記記録媒体が前記予め定められた反転用経路を通過可能な記録媒体と判別された場合には、前記記録媒体が前記予め定められた反転用経路を通過するように前記記録媒体を制御し、前記記録媒体が前記予め定められた反転用経路を通過不可能な記録媒体と判別された場合には、前記予め定められた反転用経路とは別の前記反転用経路を前記記録媒体が通過するように前記記録媒体を制御する制御手段とを有することを特徴とする。
【発明の効果】
【００１８】
本発明によれば、記録媒体が予め定められた反転用経路を通過不可能な記録媒体と判別された場合には、予め定められた反転用経路とは別の反転用経路を記録媒体が通過するように記録媒体を制御するので、より多くの種類の記録媒体を反転することができる。
【図面の簡単な説明】
【００１９】
【図１】本発明の実施の形態に係る画像形成装置の外観を示す図である。
【図２】図１におけるＭＦＰの電気的構成を示す図である。
【図３】図１におけるフィニッシャの概略構成を示す図である。
【図４】ＭＦＰにおける印刷時のシートが移動する様子を説明するための図である。
【図５】図５（Ａ）は、反転パスでシートが移動する様子を説明するための図であり、図５（Ｂ）は、両面パスでシートが移動する様子を説明するための図である。
【図６】図２におけるＣＰＵにより実行される排紙制御処理の手順を示すフローチャートである。
【図７】図７（Ａ）は、スイッチバック無しのサドルフィニッシャを用いた中折り印刷を説明するための図であり、図７（Ｂ）は、スイッチバック有りのサドルフィニッシャを用いた中折り印刷を説明するための図である。
【発明を実施するための形態】
【００２０】
以下、本発明の実施の形態について図面を参照しながら詳述する。
【００２１】
図１は、本発明の実施の形態に係る画像形成装置（以下、「ＭＦＰ」という）３００の外観を示す図である。
【００２２】
図１において、ＭＦＰ３００は、ＡＤＦ（オートドキュメントフィーダ）３０１、操作パネル３０２、手差し給紙装置３０３、サイドペーパーデッキ３０４、カセット給紙装置３０５、及びフィニッシャ３０６で構成される。
【００２３】
ＡＤＦ３０１は、原稿束を自動的に順次スキャンするための装置である。操作パネル３０２は、ユーザから操作入力を受け付けたり、ユーザに各種情報を表示する。ユーザは、操作パネル３０２で、各種設定や調整、機器状況の確認などを行なうことができる。
【００２４】
手差し給紙装置３０３は、特殊な用途を持った紙などの記録媒体（以下、「シート」という）をセットするための給紙装置である。サイドペーパーデッキ３０４は、シートを大量に保持するための給紙装置である。カセット給紙装置３０５は、様々なサイズのシートを各段に分けて保持するための給紙装置である。
【００２５】
フィニッシャ３０６は、ステープル処理、パンチ処理、及び製本処理など様々なフィニッシング処理を行うことができる。
【００２６】
図２は、図１におけるＭＦＰ３００の電気的構成を示す図である。
【００２７】
図２において、ＭＦＰ３００は、ＭＦＰ制御部５０９、スキャナ部５０１、ＦＡＸ部５０２、ＮＩＣ部５０３、専用インタフェース部５０４、ＵＳＢインタフェース部５０５、及び操作部５０６を有する。また、ＭＦＰ３００は、ＲＩＰ部５０７、出力画像処理部５０８、プリンタ部５１０、フィニッシャ３０６、圧縮伸長部５１２、不揮発記憶装置５１３、ＣＰＵ５１５、ＲＯＭ５１６、及びＲＡＭ５１７で構成される。
【００２８】
ＣＰＵ５１５は、ＲＯＭ５１６や不揮発記憶装置５１３に記憶されているプログラムを順次ＲＡＭ５１７に読み出して、後述するフローチャートに示される処理を含む種々の処理を実行する。
【００２９】
不揮発記憶装置５１３は、複数の画像データを記憶可能なハードディスク等で構成される。例えば、不揮発記憶装置５１３は、スキャナ部５０１で読みとった画像データや、ＮＩＣ部５０３を介してコンピュータ等の外部装置から受信された画像データ等の各種データを記憶可能である。
【００３０】
ＲＡＭ５１７、及びＲＯＭ５１６には、ジョブを実行するためのデータ、各種プログラム、及び各種設定データなどが記憶される。
【００３１】
スキャナ部５０１は、紙原稿などを読み取り、読み取った画像データを画像処理する。ＦＡＸ部５０２は、ファクシミリによる電話回線を利用した画像データの送受信を行なう。ＮＩＣ（Network Interface Card）部５０３は、ネットワークを利用して画像データや装置情報などをやりとりする。
【００３２】
専用インタフェース部５０４は、画像データなど各種データを外部装置と送受信する。ＵＳＢ（Universal Serial Bus）インタフェース部５０５は、ＵＳＢメモリなどのＵＳＢ機器と画像データなど各種データを送受信する。
【００３３】
操作部５０６は、操作者の操作を受け付ける。また操作部５０６は、表示部でもあり、操作者に対する画面を表示する。圧縮伸長部５１２は、画像データを不揮発記憶装置５１３に記憶する際など、必要に応じて画像データを圧縮する。
【００３４】
圧縮伸長部５１２は、圧縮された画像データを伸張するなどの処理を行う。例えば、ＭＦＰ３００がネットワークを経由で送受信する圧縮データの形式には、ＪＰＥＧ、ＪＢＩＧ、及びＺＩＰなどがあるが、これらは圧縮伸長部５１２で圧縮、伸張される。
【００３５】
リソース管理部５１４には、フォント、カラープロファイル、及びガンマテーブルなど共通に扱われる各種パラメータテーブルなどが記憶されている。また、リソース管理部５１４は、パラメータテーブルの追加、読みとり、更新、及び削除ができる。ＲＩＰ（Raster Image Processor）部５０７は、ＰＤＬデータにＲＩＰ処理を施す。
【００３６】
出力画像処理部５０８は、プリンタ部５１０などで出力する画像に対して、必要に応じて画像処理を行う。さらに、出力画像処理部５０８は、その際に作られる画像データの中間データや、印刷のためのビットマップデータやそれを圧縮したデータであるプリントレディデータを、必要に応じて不揮発記憶装置５１３に記憶する。
【００３７】
プリンタ部５１０は印刷を行い、出力されたシートはフィニッシャ３０６へ排紙される。
【００３８】
ＭＦＰ制御部５０９は、ＭＦＰ３００の用途に応じて画像データを一時記憶したり、経路を決定する。
【００３９】
また、ＭＦＰ制御部５０９は、不揮発記憶装置５１３に記憶された画像データを適宜読み出すよう制御し、プリンタ部５１０に転送して、プリンタ部５１０によるプリント処理等の出力処理を実行する。
【００４０】
また、ＭＦＰ制御部５０９は、操作者からの指示により、不揮発記憶装置５１３から読み出した画像データを、コンピュータや他のＭＦＰ等の外部装置に転送するよう制御する。
【００４１】
図３は、図１におけるフィニッシャ３０６の概略構成を示す図である。
【００４２】
図３において、フィニッシャ３０６は、搬送ローラ４３１〜４３９、先端検知センサ４５０，４５３、後端検知センサ４４８、ステイプラ４４２、突き板４４３、ストッパ４４４、折りローラ４４５，４４６、及び束搬送ローラ対４４７を備えている。
【００４３】
フィニッシャ３０６は、ＭＦＰ制御部５０９からのコマンドによって動作してもよいし、独自のコントローラによって動作してもよい。
【００４４】
フィニッシャ３０６に出力されたシートは、ユーザによって設定されたフィニッシング処理の種類に応じて、積載トレイ４０１，４０２、及び中綴じ処理トレイ４０３のいずれかに排紙される。
【００４５】
例えば、フィニッシング処理を実行しない場合、シートは積載トレイ４０１に排紙される。通常のステイプル処理を実行する場合、積載トレイ４０２に排紙され、中綴じ処理を実行する場合、中綴じ処理トレイ４０３に排紙される。
【００４６】
また、フィニッシャ３０６に出力されたシートは、搬送ローラ４３１，４３７，４３８によりシートの後端が後端検知センサ４４８にくるまで搬送される。そして、後端検知センサ４４８でシートの後端が検知されると、シートを挟持している搬送ローラ４３７，４３８が停止する。
【００４７】
次に、搬送ローラ４３７，４３８の逆回転によりシートをスイッチバックさせて、搬送ローラ４３６によりシートの先端が先端検知センサ４５０にくるまで搬送される。そして、先端検知センサ４５０でシートの先端が検知されると、シートを挟持している搬送ローラ４３６が減速し、斜行修正ローラ４５１のニップにシートの先端が突き当てられる。
【００４８】
シートの先端が斜行修正ローラ４５１のニップに突き当たった後も、搬送ローラ４３６はしばらく回転し続ける。そして、ループ空間においてシートがループを形成した後、搬送ローラ４３６が停止する。
【００４９】
次に、斜行修正ローラ４５１が回転を始める。シートが斜行している場合は、斜行修正ローラ４５１によって斜行が修正される。そして、斜行が修正されたシートは、搬送ローラ４３９の方向へ搬送される。シートの先端が先端検知センサ４５３によって検知されると、その時点から所定の量だけシートが搬送され、シートの先端がストッパ４４４に突き当てられる。
【００５０】
この際、ステイプラ４４２による綴じ位置がシートの中央部にくるように、シートはストッパ４４４によって位置決めされる。上記の動作を繰り返し、複数枚のシートが搬送パス４４１に順次搬送される。このように、本実施の形態では、経路をパスと表現している。
【００５１】
そして、印刷物を構成する全てのシートが搬送パス４４１内部に搬送されると、それらのシートは不図示の幅方向整合板によって幅方向を整合され、搬送パス４４１内部でシート束を形成する。
【００５２】
このとき、搬送パス４４１内部に搬送されるシートは、印刷物の本文の内側に該当するシートから順次搬送され、印刷物の表紙に該当するシートが最後になるように搬送される。
【００５３】
そして、中綴じ処理を行うように設定されている場合、ステイプラ４４２が、シート束に対して綴じ処理を行う。ステイプラ４４２によってシート束が綴じられると、シート束を支持していたストッパ４４４が搬送方向下流側へ移動する。それに伴い、シート束が搬送方向下流へ移動する。
【００５４】
ストッパ４４４は、シート束の中央部が突き板４４３の位置にくるように、シート束を位置決めする。そして、ストッパ４４４によって位置決めされたシート束の折り目が形成される部分に対し、突き板４４３の先端が当接し、シート束を折りローラ４４５，４４６のニップに押し込んでシート束に折り目を形成する。
【００５５】
そして、折りローラ４４５，４４６によって折り目が形成されたシート束は、束搬送ローラ対４４７によって中綴じ処理トレイ４０３に排出される。
【００５６】
図４は、ＭＦＰ３００における印刷時のシートが移動する様子を説明するための図である。
【００５７】
図４に示された矢印は、反転パス６０５または両面パス６０６を経由しない場合の印刷物の移動方向を示す。まず、カセット給紙装置３０５からシートが給紙される。次に、転写部６０２でトナーがシートに転写される。そして、定着部６０３で定着が行われる。
【００５８】
その後、必要に応じて反転パス６０５または両面パス６０６を経由して、フィニッシャ３０６に排紙される。
【００５９】
この図のような構成の場合は、片面印刷時に印刷面が上を向くフェイスアップ排紙となる。
【００６０】
図５（Ａ）は、反転パス６０５でシートが移動する様子を説明するための図であり、図５（Ｂ）は、両面パス６０６でシートが移動する様子を説明するための図である。
【００６１】
図５に示されるシートに示される三角形は、表紙の印刷面の向きを示している。
【００６２】
まず反転パス６０５について説明する。図５（Ａ）において、定着部６０３によって画像が定着されたシート７０２は、反転パスへの進入路７０３へと進む。シート７０２は反転パスを移動して位置Ｘまで進んだ後、反転パスの退出路７０５から反転パス６０５を抜けて位置Ｙ７０６へ進む。
【００６３】
ここで、シート７０２は、反転パスへの進入時とは逆の向きから退出しており、これにより印刷面が上下反転して排紙される。
【００６４】
次に両面パス６０６について説明する。図５（Ｂ）において、定着部６０３によって画像が定着されたシート８０２は、両面パスへの進入路８０３へと進む。シート８０２は両面パスを移動して、位置Ｘを経由し、位置Ｙまで進む。
【００６５】
そして、反転部の退出路８０６から反転パスを抜けて位置Ｚへ進み、さらに位置Ｗへ進む。ここで、シート８０２は、両面パス６０６への進入時とは逆の向きから両面パス６０６における反転部を退出しており、これにより印刷面が上下反転する。この後、位置Ｖを経由して位置Ｕに進み、印刷面が下向きで排紙される。
【００６６】
このように、反転パス６０５及び両面パス６０６のいずれも印刷されたシートにおける印刷面を反転するために、シートを反転するための反転用経路であり、本実施の形態では２つの反転用経路を備えている。
【００６７】
また、本実施の形態では、両面パス６０６が予め定められた反転用経路に対応し、反転パス６０５は、予め定められた反転用経路とは別の反転用経路に対応している。そして、反転パス６０５の経路内の区間αβ内の任意の点での曲率と、両面パス６０６の経路内の区間γδ内の任意の点での曲率は同じであり、本実施の形態では、この曲率を予め定められた曲率としている。
【００６８】
また、区間γδの長さは、区間αβの長さよりも長い。従って、両面パス６０６は、反転パス６０５と比較して、経路内において予め定められた曲率以上となる区間の長さが長い経路を持つ反転用経路である。
【００６９】
そのため、反転パス６０５を通過可能だが両面パス６０６を通過不可能な種類のシートが存在する。例えば、コート紙は、反転パス６０５を通過可能だが両面パス６０６を通過不可能な種類のシートである。一方、普通紙や再生紙は、反転パス６０５も両面パス６０６も通過可能である種類のシートである。また、厚紙は、反転パス６０５も両面パス６０６も通過不可能な種類のシートである。なお、各種類のシートが、反転パス６０５を通過可能であるか否か、また、両面パス６０６を通過可能か否かは、この例に限られない。また、同じ厚紙であっても、こしの弱い第１の種類の厚紙が反転パス６０５を通過可能な種類に分類され、こしの強い第２の種類の厚紙が反転パス６０５を通過不可能な種類に分類されていてもよい。
【００７０】
図６は、図２におけるＣＰＵ５１５により実行される排紙制御処理の手順を示すフローチャートである。
【００７１】
図６において、シートの片面に印刷し（ステップＳ１０１）、次いでシートの反転が必要か否か判別する（ステップＳ１０２）。反転が必要か否かの判別基準については後述する。このステップＳ１０２は、シートの反転が必要か否か判別する反転判別手段に対応する。
【００７２】
ステップＳ１０２の判別の結果、反転が必要ないと判別された場合には（ステップＳ１０２でＮＯ）、シートをフィニッシャ３０６に排紙して（ステップＳ１０８）、本処理を終了する。
【００７３】
一方、ステップＳ１０２の判別の結果、反転が必要と判別された場合には（ステップＳ１０３でＹＥＳ）、シートが両面パス６０６を通過可能なシートか否か判別する（ステップＳ１０３）。このステップＳ１０３は、シートの反転が必要と判別された場合に、シートが両面パス６０６を通過可能なシートか否か判別する通過判別手段に対応する。
【００７４】
ステップＳ１０３の判別の結果、両面パス６０６を通過可能なシートの場合には（ステップＳ１０３でＹＥＳ）、両面パス６０６でシートを反転し（ステップＳ１０７）、シートをフィニッシャ３０６に排紙して（ステップＳ１０８）、本処理を終了する。
【００７５】
一方、ステップＳ１０３の判別の結果、両面パス６０６を通過可能なシートではない場合には（ステップＳ１０３でＮＯ）、シートが反転パス６０５を通過可能なシートか否か判別する（ステップＳ１０４）。
【００７６】
ステップＳ１０４の判別の結果、反転パス６０５を通過可能なシートの場合には（ステップＳ１０４でＹＥＳ）、反転パス６０５でシートを反転し（ステップＳ１０６）、シートをフィニッシャ３０６に排紙して（ステップＳ１０８）、本処理を終了する。
【００７７】
一方、ステップＳ１０４の判別の結果、反転パス６０５を通過可能なシートではない場合には（ステップＳ１０４でＮＯ）、操作部５０６に、シートを反転できないことを示すエラー画面を表示する（ステップＳ１０５）。そして、シートをフィニッシャ３０６に排紙して（ステップＳ１０８）、本処理を終了する。上記ステップＳ１０３，１０７は、シートが両面パス６０６を通過可能なシートと判別された場合に、シートが両面パス６０６を通過するように制御する構成に対応する。また、Ｓ１０３，１０４，１０６は、シートが両面パス６０６を通過不可能なシートと判別された場合に、両面パス６０６とは別の反転パス６０５をシートが通過するように制御する制御手段に対応する。
【００７８】
ステップＳ１０２の判別基準について説明する。ＭＦＰ３００は、フィニッシャ３０６にフェイスアップで排紙し、かつフィニッシャ３０６がスイッチバック有りのサドルフィニッシャの場合には、反転が必要と判別する。
【００７９】
また、ＭＦＰ３００は、フィニッシャ３０６にフェイスダウンで排紙し、かつフィニッシャ３０６がスイッチバック無しのサドルフィニッシャの場合にも、反転が必要と判別する。
【００８０】
逆に、ＭＦＰ３００は、フィニッシャ３０６にフェイスアップで排紙し、かつフィニッシャ３０６がスイッチバックなしのサドルフィニッシャの場合には、反転が不要と判別する。
【００８１】
また、ＭＦＰ３００は、フィニッシャ３０６にはフェイスダウンで排紙され、かつフィニッシャ３０６がスイッチバックありのサドルフィニッシャの場合には、反転が不要と判別する。
【００８２】
以上説明したように、本実施の形態によれば、シートが両面パス６０６を通過不可能なシートと判別された場合には、両面パス６０６とは別の反転パス６０５をシートが通過するように制御する。
【００８３】
一方、従来技術では両面パスを通過不可能な場合は直ちに反転できないとされていたので、従来技術と比較して、本実施の形態ではより多くの種類の記録媒体を反転することができる。
【００８４】
これにより、両面パス６０６を通過不可能なシートであっても反転パス６０５を通せる印刷物であれば、ユーザ所望の印刷向きに排紙して中折りできる。
【００８５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給する。そして、そのシステム或いは装置のコンピュータ（又はＣＰＵやＭＰＵ等）がそのソフトウェア（プログラム）のプログラムコードを読み出して実行する処理である。この場合、そのプログラム、及び該プログラムを記憶した記憶媒体は本発明を構成することになる。
【符号の説明】
【００８６】
３００  ＭＦＰ
３０６  フィニッシャ
５１３  不揮発記憶装置
５１５  ＣＰＵ
５１６  ＲＯＭ
５１７  ＲＡＭ
６０５  反転パス
６０６  両面パス
【図１】
2015182850.tif 000003
【図２】
2015182850.tif 000004
【図３】
2015182850.tif 000005
【図４】
2015182850.tif 000006
【図５】
2015182850.tif 000007
【図６】
2015182850.tif 000008
【図７】
2015182850.tif 000009